(57)【特許請求の範囲】
【請求項１】
第１の電源電圧(VBAT)と該第１の電源電圧よりも低い絶対値を有する第２の電源電圧(VB)とを有し，少なくとも該第２の電源電圧は可変であり，いずれの該電源電圧をライン・インターフェイス・ボード(1)上の線路回路(LC1,LC2…LCn)に供給するかを選択する方法であって，
ａ）該ライン・インターフェイス・ボード(1)上の少なくとも作動中の線路回路の線路電圧を測定するステップと，
ｂ）該第２の電源電圧(VB)としていくつかの候補値を予測するステップと，
ｃ）該測定した線路電圧から，それぞれの線路回路に該第２の電源電圧(VB)として予測したそれぞれの候補値を供給することができるか否かを決定するステップと，
ｄ）該候補値を供給することができる線路回路について，該第２の電源電圧(VB)として予測した各々の候補値を使って該線路回路の電力消費量を計算するステップと，
ｅ）該候補値を供給することができない線路回路について，該第１の電源電圧(VBAT)を使って該線路回路の電力消費量を計算するステップと，
ｆ）該第２の電源電圧(VB)として予測した各々の該候補値について，ステップd)とe)において計算した該電力消費量を加算するステップと，
ｇ）該ライン・インターフェイス・ボード(1)上の該線路回路の該電力消費量の総和が最低となるような該候補値を該第２の電源電圧(VB)として選択するステップと，
ｈ）電源電圧として該第１の電源電圧(VBAT)かステップg)で選択した該第２の電源電圧(VB)のいずれかを選んで，該線路回路に供給するステップと，
を含むことを特徴とする，線路回路の電源電圧の選択方法。
【請求項２】
第１の電源電圧(VBAT)と該第１の電源電圧よりも低い絶対値を有する第２の電源電圧(VB)とを有し，少なくとも該第２の電源電圧は可変であり，いずれの該電源電圧をライン・インターフェイス・ボード(1)上の線路回路(LC1,LC2…LCn)に供給するかを選択する装置であって，
該ライン・インターフェイス・ボード(1)上の少なくとも作動中の線路回路の線路電圧を測定するように作動する手段(LV1，LV2…LVn)と，
該第２の電源電圧(VB)としていくつかの候補値を予測するように作動する手段(3)と，
該測定した線路電圧から，それぞれの線路回路に該第２の電源電圧(VB)として予測したそれぞれの候補値を供給することができるか否かを決定するように作動する手段(3)と，
該候補値を供給することができる回路について，該第２の電源電圧(VB)として予測した各々の該候補値を使った線路回路の電力消費量を計算するように作動する手段(3)と，
該候補値を供給することができない回路について，該第１の電源電圧(VBAT)を使った線路回路の電力消費量を計算するように作動する手段(3)と，
該第２の電源電圧(VB)として予測した各々の候補値について，該第２の電源電圧(VB)として予測した各々の該候補値を使って計算したそれぞれの線路回路の電力消費量と該第１の電源電圧(VBAT)を使って計算したそれぞれの線路回路の電力消費量とを加算するように作動する手段(3)と，
該ライン・インターフェイス・ボード(1)上の該線路回路の電力消費量の総和が最低となるような該候補値を該第２の電源電圧(VB)として選択するように作動する手段(3)と，
電源電圧として該第１の電源電圧(VBAT)かまたは選択した該第２の電源電圧(VB)を選んで，該線路回路に供給するように作動する手段(3，S1，S2…Sn)と，
を含むことを特徴とする，線路回路の電源電圧の選択装置。
【発明の詳細な説明】
【０００１】
(技術分野)
本発明は一般的にライン・インターフェイス・ボードに関するものであり，特にライン・インターフェイス・ボード上の線路回路の電力消費量を最小にすることに関するものである。
【０００２】
(発明の背景)
２線式線路を駆動する加入者のライン・インターフェイス回路では，線路電流も線路電圧も線路負荷，すなわち電話機および線路自体の抵抗，の関数である。
【０００３】
線路が開放されている場合，電流がゼロのとき線路には最大電圧が供給される。線路回路が動作するためには，線路回路を電源電圧に接続しなければならない。電源電圧は必要な線路電圧よりも幾分高い。
【０００４】
線路が閉じている場合，すなわち線路に負荷がかかっている場合，線路抵抗と負荷抵抗の和にしたがって線路電圧は減少し，線路電流は増加するであろう。
【０００５】
電源電圧と線路電圧の差は線路電流が流れる線路回路に加わる。このために，線路回路内で電力が消費される。
【０００６】
線路回路内の電力消費量は線路を短絡したとき，すなわち線路と負荷の合計抵抗値が低いとき，最大になる。
【０００７】
多くの場合，線路回路内の電力消費，すなわち電力損失は容認される。
【０００８】
ある場合には，最大電力消費量を低く保つために，各線路ごとにDC/DCコンバータを使うことができる。それぞれのコンバータから供給される出力電圧は，瞬時の線路負荷に適応するために連続的に制御される。しかし，そのようなコンバータを使うと，放射を乱したり回路の複雑性を増す原因となる。
【０００９】
WO 96/15617から，電力消費量を最小にするために駆動電圧の数に相当するいくつかのアナログ直列調整器を使うことが知られている。これは電源電圧をその瞬間に必要な最低の電源電圧の絶対値を有する電源電圧にスイッチングすることによって行うものである。
【００１０】
たとえば２種類の電源電圧を用いて上記スイッチング方式を有する線路回路を使うとき，低い方の絶対値を有する電圧をあらかじめ定めた固定値に設定する。固定値には電力消費量が最低であることが期待される値を選ぶ。このあらかじめ定めた値を通常すべてのインターフェイスボードに設定する。高い方の絶対値を有する電圧は通常電池の電圧である。
【００１１】
（発明の要約）
本発明の目的はライン・インターフェイス・ボード上の線路回路の電力消費量を更に少なくすることである。
【００１２】
このことは実際の線路電圧に応じて電源電圧を適応させる本発明により達成される。
【００１３】
そのことにより，ライン・インターフェイス・ボード上の線路回路の電力消費量を更に少なくすることが可能になるであろう。
【００１４】
（発明の実施の形態）
次に本発明について，図面を参照して詳しく説明する。
図はいくつかの線路回路LC1,LC2…LCnを有するライン・インターフェイス・ボード1を示す．ここでnはたとえば16である。
【００１５】
これ自体はよく知られているように，２線式線路は線路回路LC1,LC2…LCnに接続されており，図示の如く，線路はそれぞれのインピーダンスLD1,LD2…LDnで終端していることとする。
【００１６】
それぞれの線路回路において，線路のそれぞれの線は増幅器LA1,LA2…LAnとLB1,LB2…LBnによりそれぞれ駆動される。
【００１７】
本発明によれば，これらの増幅器にはライン・インターフェイス・ボード1上の線路回路LC1,LC2…LCnの合計電力消費量ができるだけ低く保たれるように給電される。
【００１８】
図示した実施例では，線路回路LC1,LC2…LCnには電池の固定電圧VBATか，またはVBATよりも低い絶対値を有する可変電圧VBのいずれかが供給されることとする。
【００１９】
この接続において，VBATもまた可変でありうることを指摘しておく。
【００２０】
図示した本発明の実施例では，電源電圧をVBATとVBとの間で切り替えるために，各線路回路LC1,LC2…LCn内にスイッチS1,S2…Snが設けられている。これらのスイッチはもちろん線路回路の外側においても全く問題ないであろう。
【００２１】
制御可能なDC/DCコンバータ２がライン・インターフェイス・ボード1上に設けられていて，プロセッサ３から発せられる信号の制御下で，VBATからVBを発生する。
【００２２】
プロセッサ３は後述するように，スイッチS1,S2…Snを制御するように作られている。
【００２３】
本発明のこの実施例では，各線路回路LC1,LC2…LCnにそれぞれの線路回路LC1,LC2…LCnの線路電圧を測定するための回路LV1,LV2…LVnが設けられている。それぞれの回路LV1,LV2…LVnにより測られた線路電圧はプロセッサ３の入力信号として供給される．線路電圧を測定するための回路は線路回路の外側においても全く問題ないであろうことは理解されよう。
【００２４】
測定された線路電圧に基づいて，プロセッサ３は電源電圧VBの候補値をいくつか予測するように作動する。また，プロセッサ３は回路LV1,LV2…LVnから得られた線路電圧の測定値に基づいて，それぞれの線路回路LC1,LC2…LCnに電源電圧VBとして予測したそれぞれの候補値を供給することができるか否かを決定する。
【００２５】
電源電圧VBとして予測したそれぞれの候補値を供給することができる線路回路について，プロセッサ３はVBの各候補値毎にこれらの線路回路の電力消費量を計算するように作動する。
【００２６】
電源電圧VBとして予測した候補値を供給することができない線路回路の場合，プロセッサ３は固定の電池電圧VBTを用いてこれらの線路回路の電力消費量を計算するように作動する。
【００２７】
電源電圧VBの各候補値毎に，プロセッサ３はライン・インターフェイス・ボード1上の各線路回路の電力消費量を加算するように作動する。
【００２８】
好ましくは，作動している回路の電力消費量だけを計算して加算する。
【００２９】
使用すべき電源電圧VBの値を選択するには，プロセッサ３はライン・インターフェイス・ボード1上の作動している線路回路の電力消費量の合計が最低になるような値を選択する。
【００３０】
電池電圧VBATか，またはプロセッサ３から供給される入力信号に応じてコンバータ２により作られた電源電圧VBの選択された値のいずれかを選んで，電源電圧としてライン・インターフェイス・ボード1上の線路回路に供給する。そのために，プロセッサ３はスイッチS1,S2…Snの位置を制御して，それぞれの線路回路にVBATかVBの選択された値かのいずれかが接続するように作動する。
【００３１】
以下実用的な例を述べる。
【００３２】
ライン・インターフェイス・ボード1上に３個の作動中の線路回路があって，それらの線路電圧がそれぞれ13V，40V，23Vであるとする．線路電流は一定で，0,027Aとする。|VBAT|=48Vとする。
【００３３】
線路回路にVBを供給するために，VB>=線路電圧の測定値+6Vとする。
【００３４】
VBを28Vに固定する
【００３５】
ライン・インターフェイス・ボードを実装する前に，すべてのライン・インターフェイス・ボードの線路電圧を調べる。最適なVBの値が28Vであるとわかったとする。その結果，すべてのライン・インターフェイス・ボードでVBを28Vに設定する。
【００３６】
作動している線路回路のうち１個にVB=28V を供給すると，残りの２個の線路回路にはVBAT=48Vを供給しなければならない。
【００３７】
すると，３個の作動中の線路回路における電力消費量は以下のようになるであろう。
【００３８】
【数１】
0003927770.tif 000002
【００３９】
VBを適応性にする
【００４０】
線路電圧の測定値，すなわちそれぞれ13V，40V，23V，に6Vを加えることによってVBの３個の候補値を予測する。
【００４１】
したがって，VBとして以下の３個の候補値が予測される。
【００４２】
【数２】
0003927770.tif 000003
【００４３】
【数３】
0003927770.tif 000004
【００４４】
【数４】
0003927770.tif 000005
【００４５】
VB1=19Vの場合，１個の線路回路だけにこの線路電圧を供給することができて，残りの２個の線路回路にはVBAT=48Vを供給しなければならない。
【００４６】
したがって，ライン・インターフェイス・ボード上の電力消費量は以下のようになるであろう。
【００４７】
【数５】
0003927770.tif 000006
【００４８】
VB2=29Vの場合，2個の線路回路にこの線路電圧を供給することができて，第３の線路回路にはVBAT=48Vを供給しなければならない。
【００４９】
したがって，ライン・インターフェイス・ボード上の電力消費量は以下のようになるであろう。
【００５０】
【数６】
0003927770.tif 000007
【００５１】
VB3=46Vの場合，３個の線路回路すべてにこの線路電圧を供給することができる。
【００５２】
この場合，ライン・インターフェイス・ボード上の電力消費量は以下のようになるであろう。
【００５３】
【数７】
0003927770.tif 000008
【００５４】
上記の説明から明らかなように，VB1=19V，VB2=29Vどちらの場合もVBを常に28Vに固定したときよりも電力消費量は少ないという結果になる。
【００５５】
この例ではVB2=29Vのとき消費電力量が最低であるから，プロセッサ３はコンバータ２で作られる電圧VBとしてこの値を選択するように作動する。
【００５６】
それから，プロセッサ３はスイッチS1,S2…Snの位置を制御して，それぞれの線路回路LC1,LC2…LCnにVBATかVBのいずれかを供給する。
【図面の簡単な説明】
【図１】  本発明による装置の一実施例。
0003927770.tif 000009